(57)【特許請求の範囲】
【請求項１】
アクチュエータの動力又は屋内側に設けられた施解錠手段の手動操作によって建物のドアを施錠又は解錠すると共に、施錠又は解錠の状態を検知するセンサを含んだ錠前と、
オン状態で認証情報を送信可能な電子鍵と、
前記認証情報を受信する受信手段と、
電子鍵をオン状態にする起動信号を送信すると共に、前記受信手段が受信した前記認証情報を認証し、認証可の場合には前記アクチュエータを作動させて施錠されていた前記錠前を解錠し、前記錠前の解錠後に前記センサが前記錠前の施錠を検知した場合に、認証可に係る電子鍵を含む電子鍵の前記錠前の解錠を禁止し、電子鍵による前記錠前の解錠を禁止した後に、前記センサが前記錠前の解錠を検知した場合に、電子鍵による前記錠前の施錠を可能にする制御手段と、
を備えた電気錠システム。
【請求項２】
解錠及び施錠が可能になった電子鍵から送信された認証情報を認証し、認証可の場合には前記アクチュエータを作動させて前記錠前を施錠すると共に、認証可に係る電子鍵以外の電子鍵による前記錠前の解錠を禁止する請求項１に記載の電気錠システム。
【発明の詳細な説明】
【技術分野】
【０００１】
本発明は、建物のドアの施錠及び解錠を行う電気錠システムに関する。
【背景技術】
【０００２】
電子鍵からの遠隔操作により、建物のドアの施錠及び解錠が可能な電気錠は、電子鍵に対して起動信号を送信し、当該起動信号を受信した電子鍵をオン状態にしている。起動信号が到達する範囲は、例えば、電気錠から１〜数メートル程度である。起動信号が到達する範囲よりも電気錠から離れている電子鍵はオン状態にならないので、施錠又は解錠のために電子鍵を電気錠の近くにもって行った場合以外に、電子鍵がオン状態になることを抑止でき、電子鍵の電源である電池の無用な消耗を防止している。
【０００３】
しかしながら、玄関のドア等を解錠した後、解錠に用いた電子鍵を玄関の下駄箱の上等の電気錠からの起動信号が到達する範囲に放置した場合、当該電子鍵は起動信号を受信し続けることになり、内蔵している電池が消耗する。また、オン状態になった電子鍵からは、電気錠を解錠するための認証情報（ＩＤ情報）が送信され続けるので、電子鍵を持たない第三者が、玄関のドアのトリガスイッチを押下する等によって、電気錠が解錠されてしまうという問題点があった。
【０００４】
特許文献１には、電子鍵からの応答信号が所定時間連続する場合には、電子鍵への呼び出し信号の送信を停止することにより、電子鍵の電池の消耗を防止すると共に、第三者が電気錠を解錠することを防止する建物用ドア施解錠システムが開示されている。
【先行技術文献】
【特許文献】
【０００５】
【特許文献１】特開２００４−３１４７号公報
【発明の概要】
【発明が解決しようとする課題】
【０００６】
しかしながら、特許文献１に記載の建物用ドア施解錠システムは、所定の時間以内に、第三者がトリガスイッチを操作することにより、電気錠が解錠されてしまうという問題点があった。
【０００７】
本発明は、上記事実を考慮して成されたもので、第三者によって電気錠が解錠されるおそれを低減させた電気錠システムを提供することを目的とする。
【課題を解決するための手段】
【０００８】
上記課題を解決するための請求項１の発明は、アクチュエータの動力又は屋内側に設けられた施解錠手段の手動操作によって建物のドアを施錠又は解錠すると共に、施錠又は解錠の状態を検知するセンサを含んだ錠前と、オン状態で認証情報を送信可能な電子鍵と、前記認証情報を受信する受信手段と、電子鍵をオン状態にする起動信号を送信すると共に、前記受信手段が受信した前記認証情報を認証し、認証可の場合には前記アクチュエータを作動させて施錠されていた前記錠前を解錠し、前記錠前の解錠後に前記センサが前記錠前の施錠を検知した場合に、認証可に係る電子鍵を含む電子鍵の前記錠前の解錠を禁止し、電子鍵による前記錠前の解錠を禁止した後に、前記センサが前記錠前の解錠を検知した場合に、電子鍵による前記錠前の施錠を可能にする制御手段と、を備える。
【０００９】
請求項１に記載の発明によれば、制御手段は、錠前が電子鍵によって解錠された後に、再び施錠された場合に、電子鍵による錠前の解錠を禁止する。起動信号を受信してオン状態になっている電子鍵を用いても、錠前の解錠は出来なくなるので、ユーザの意に反して錠前が解錠されることを防止できる。
【００１０】
また、請求項１に記載の発明によれば、電子鍵による解錠が禁止された後に、錠前に設けられた室内側の施解錠手段の手動操作によって解錠された場合には、再び電子錠による施錠が可能になる。
【００１２】
請求項２の発明は、請求項１に記載の発明において、解錠及び施錠が可能になった電子鍵から送信された認証情報を認証し、認証可の場合には前記アクチュエータを作動させて前記錠前を施錠すると共に、認証可に係る電子鍵以外の電子鍵による前記錠前の解錠を禁止する。
【００１３】
請求項２に記載の発明によれば、ユーザが所持する電子鍵以外の電子鍵による解錠及び施錠を禁止することにより、ユーザの意に反して錠前が解錠されることを防止できる。
【発明の効果】
【００１４】
以上説明したように、請求項１に記載の発明は、起動信号を受信してオン状態になっている電子鍵を用いても、錠前の解錠は出来なくなるので、第三者によって電気錠が解錠されるおそれを低減でき、錠前に設けられた室内側の施解錠手段の手動操作によって解錠された場合には、再び電子錠による施錠を可能にすることにより、外出するユーザが電子鍵を用いて施錠できる。

【００１６】
請求項２に記載の発明によれば、ユーザの意に反して錠前が解錠されることを防止することにより、第三者によって電気錠が解錠されるおそれを低減できる。
【図面の簡単な説明】
【００１７】
【図１】本発明の実施の形態に係る電気錠システムの一例を示す概略図で、（Ａ）は屋外側から、（Ｂ）は屋内側から、電気錠システムを各々見た場合の概略図である。
【図２】本発明の実施の形態に係る電気錠システムにおけるコントローラが電子鍵を探知して起動させる処理の一例を示したフローチャートである。
【図３】図３は、ユーザが帰宅時の処理の一例を示したフローチャートである。
【図４】図４は、ユーザの外出時の処理の一例を示したフローチャートである。
【発明を実施するための形態】
【００１８】
以下、図面を参照して本発明の実施の形態の一例を詳細に説明する。図１は、本発明の実施の形態に係る電気錠システム１０の一例を示す概略図で、（Ａ）は屋外側から、（Ｂ）は屋内側から、電気錠システム１０を各々見た場合の概略図である。
【００１９】
図１（Ａ）に示したように、電気錠システム１０は、錠前の一種である主錠１４Ａ及び補助錠１４Ｂの施錠及び解錠を制御するコントローラ１２を含む。また電気錠システム１０は、電子鍵４０からの信号を受信すると共に、電子鍵４０に信号を送信するアンテナ１６と、コントローラ１２の制御により、ドア３０を施錠又は解錠する主錠１４Ａ及び補助錠１４Ｂとを備えている。
【００２０】
主錠１４Ａ及び補助錠１４Ｂは、施錠操作がなされると主デッドボルト２２Ａ及び補助デッドボルト２２Ｂを各々突出させる。突出させた主デッドボルト２２Ａ及び補助デッドボルト２２Ｂが建物側に設けられた受座（図示せず）と嵌合することにより、ドア３０が施錠される。主デッドボルト２２Ａ及び補助デッドボルト２２Ｂは、主錠１４Ａ及び補助錠１４Ｂに各々設けられた電動のアクチュエータによって駆動される。
【００２１】
アンテナ１６は、ドア３０を開閉するための屋外ハンドル２０Ａに内蔵されている。屋外ハンドル２０Ａには、電子鍵４０で主錠１４Ａ及び補助錠１４Ｂを解錠する際に、ユーザが押下又はタッチするトリガスイッチ１８が設けられている。解錠に際して、トリガスイッチ１８の操作を要することにより、電子鍵４０からの信号のみで不用意に主錠１４Ａ及び補助錠１４Ｂが解錠されることを防止している。
【００２２】
アンテナ１６及びトリガスイッチ１８は信号線を介してコントローラ１２に接続され、電子鍵４０からの信号及びトリガスイッチ１８の操作に係る信号がコントローラ１２に入力される。また、コントローラ１２からは、当該信号線を介して、主錠１４Ａ及び補助錠１４Ｂを施錠又は解錠する指令信号が出力される。なお、図１では、信号線は破線で示されている。
【００２３】
図１において、コントローラ１２、主錠１４Ａ及び補助錠１４Ｂに電力を供給するための電力線は実線で示されている。電力線は、ドア３０のヒンジ部側に設けられた通電金具２４を介してコントローラ１２及び補助錠１４Ｂに接続されている。さらに、補助錠１４Ｂと主錠１４Ａとが電力線で接続されており、補助錠１４Ｂを介して主錠１４Ａにも電力が供給されている。
【００２４】
図１（Ｂ）は、屋内側の電気錠システム１０の概略図であるが、屋外側である図１（Ａ）とは、ドア３０を開閉させる屋内ハンドル２０Ｂが相違する。屋内ハンドル２０Ｂには、屋外ハンドル２０Ａのようなトリガスイッチ１８及びアンテナ１６は設けられておらず、代わりにサムターン２６Ａ，２６Ｂが設けられている。
【００２５】
サムターン２６Ａ，２６Ｂは、手動で所定の方向へ所定の角度回転させることにより、主デッドボルト２２Ａ、補助デッドボルト２２Ｂを建物側に設けられた受座へ各々突出させる。また、サムターン２６Ａ，２６Ｂは、手動で前述の所定の方向とは逆方向に前述の所定の角度で回転させることにより、受座に突出した主デッドボルト２２Ａ、補助デッドボルト２２Ｂを主錠１４Ａ、補助錠１４Ｂに各々格納させる。なお、電気錠システム１０の屋内側にも屋外側と同様のトリガスイッチを設けてもよい。屋内側にもトリガスイッチを設けた場合は、サムターン２６Ａ，２６Ｂに代えて、トリガスイッチによって屋内側で施解錠をする。
【００２６】
主錠１４Ａ及び補助錠１４Ｂには、施錠又は解錠のステータスを検知するセンサ４２Ａ，４２Ｂが内蔵されている。センサ４２Ａ，４２Ｂは、主デッドボルト２２Ａ、補助デッドボルト２２Ｂの位置の変化を各々検知することにより、主錠１４Ａ及び補助錠１４Ｂの施錠又は解錠のステータスを検知する。センサ４２Ａ，４２Ｂは、一例として、磁界を検知するホールセンサ等である。センサ４２Ａ，４２Ｂは、主デッドボルト２２Ａ、補助デッドボルト２２Ｂに各々設けられたセンサマグネット（図示せず）の磁界の変化を検知する。コントローラ１２は、センサ４２Ａ，４２Ｂが検知した磁界の変化に基づいて、主錠１４Ａ及び補助錠１４Ｂの施錠又は解錠のステータスを判定する。
【００２７】
また、本実施の形態では、ドア３０の開閉状態を検知するセンサ（図示せず）を別途設けてもよい。当該センサは、一例として、ホールセンサ等の磁界を検知するセンサで、ドア３０に設けられたセンサマグネットの磁界の変化によって、ドア３０の開閉状態を検知する。ドア３０の開閉を検知するセンサを設けた場合、コントローラ１２は、ドア３０が閉鎖され、かつセンサ４２Ａ，４２Ｂによって主錠１４Ａ及び補助錠１４Ｂが施錠されたことを検知した場合に、ドア３０が施錠されたと判定することができる。
【００２８】
電子鍵４０は、電源として一次電池又は二次電池を備え、オン状態の場合に、内部のＲＯＭ（Read Only Memory）等の記憶装置に記憶された認証情報であるＩＤ情報を送信可能な発信機である。電子鍵４０は、平時はオフ状態であるが、コントローラ１２が送信した起動信号を受信するとオン状態になる。
【００２９】
図２は、本実施の形態に係る電気錠システム１０におけるコントローラ１２が電子鍵４０を探知して起動させる処理の一例を示したフローチャートである。前述のように、本実施の形態では、電子鍵４０は、アンテナ１６を介してコントローラ１２から送信された起動信号を受信した場合にオン状態になる。送信される起動信号は、電子鍵４０の電源である電池を温存するために、到達範囲が限定的となっている。本実施の形態では、例えば、アンテナ１６から２〜３メートルまで、起動信号が到達する。
【００３０】
図２のステップ２００では、コントローラ１２から起動信号を送信する。ステップ２０２で、電子鍵４０から応答信号の有無を判定し、応答信号を受信した場合には、処理をリターンする。ステップ２０２で否定判定の場合には、手順をステップ２００に戻して、起動信号の送信を継続する。
【００３１】
ステップ２０２でコントローラ１２が受信する応答信号には、電子鍵４０を識別するためのＩＤ情報が含まれており、コントローラ１２は、受信したＩＤ情報が登録されたユーザのものか否かを判定するＩＤ認証を行う。図２の電子鍵４０の探知処理とは別処理になるが、ＩＤ認証で当該電子鍵４０が登録されたユーザのものと判定された認証可の場合は、引き続き当該電子鍵４０から解錠又は施錠に係る信号が入力されると、主錠１４Ａ及び補助錠１４Ｂを解錠又は施錠する制御を行う。
【００３２】
コントローラ１２と電子鍵４０との通信は暗号化される。暗号の方式は、一例として、ＴＬＳ（Transport Layer Security）等の共通鍵方式暗号化処理であるとする。また、ＩＤ情報は、平文の状態で、文字又は記号からなる情報であって、１の電子鍵４０に１のＩＤ情報が対応することにより、各々の電子鍵４０を識別するものである。
【００３３】
電子鍵４０のＩＤ情報は、コントローラ１２の記憶装置に記憶されており、コントローラ１２は、電子鍵４０から送信されたＩＤ情報が記憶装置に記憶されたＩＤ情報に存在するか否かによって、前述のＩＤ認証を行う。
【００３４】
図３は、ユーザが帰宅時の処理の一例を示したフローチャートである。ステップ３００では、室外からの電子鍵４０及びトリガスイッチ１８の操作に応じて、主錠１４Ａ及び補助錠１４Ｂを解錠する。
【００３５】
ステップ３０２では、サムターン２６Ａ，２６Ｂの手動操作によって、施錠されたことを検知する。前述のように、本実施の形態に係る電気錠システム１０は、センサ４２Ａ，４２Ｂによって、主デッドボルト２２Ａ、補助デッドボルト２２Ｂの位置の変化を各々検知することにより、主錠１４Ａ及び補助錠１４Ｂの施錠又は解錠のステータスを検知している。ドア３０の開閉を検知するセンサを別途備えているのであれば、ステップ３００では、センサ４２Ａ，４２Ｂによる解錠の状態検知後にドア３０が開かれたことを検知してもよい。また、ステップ３０２では、ドア３０が閉じられたことの検知後にセンサ４２Ａ，４２Ｂによる施錠の状態検知をしてもよい。ドア３０の開閉状態も検知することにより、ドア３０が確実に施錠されたか否かを判断できる。
【００３６】
ステップ３０４では、ステップ３００で解錠に使用した電子鍵４０及び起動信号が到達する範囲である検知エリア内の電子鍵４０のＩＤ照合を禁止することにより検知エリア内の電子鍵４０による解錠及び施錠の操作を禁止して処理をリターンする。起動信号が到達する検知エリア内では、当該検知エリア内に存在する電子鍵４０がオン状態になるが、ＩＤ照合を禁止することで、玄関先に立った第三者がトリガスイッチ１８を操作して主錠１４Ａ及び補助錠１４Ｂを解錠することを防止する。コントローラ１２は、検知エリア内にある電子鍵４０のＩＤ情報を記憶装置に記憶し、これらの電子鍵４０によるＩＤ認証を禁止する。
【００３７】
図４は、ユーザの外出時の処理の一例を示したフローチャートである。ステップ４００では、センサ４２Ａ，４２Ｂの検知結果から、サムターン２６Ａ，２６Ｂの手動操作によって、解錠されたことを検知する。ステップ４０２では、ステップ４００での解錠操作を受けて、図３のステップ３０４でＩＤ照合を禁止した電子鍵４０の、ＩＤ照合を許可する。ステップ４０２では、検知エリア内の全ての電子鍵４０でＩＤ照合が許容され、電子鍵４０による解錠及び施錠の操作が可能になる。
【００３８】
ステップ４０４では、電子鍵４０から送信されたＩＤ情報を認証し、認証可の場合に主錠１４Ａ及び補助錠１４Ｂを各々施錠する。ステップ４０４では、センサ４２Ａ，４２Ｂの検知結果を参照し、主デッドボルト２２Ａ、補助デッドボルト２２Ｂが施錠位置に移動したか否かよって、施錠が確実になされたか否かを判定してもよい。ドア３０の開閉を検知するセンサを別途備えているのであれば、ステップ４００では、センサ４２Ａ，４２Ｂによる解錠の状態検知後にドア３０が開かれたことを検知してもよい。また、ステップ４０４では、ドア３０が閉じられたことの検知後にセンサ４２Ａ，４２Ｂによる施錠の状態検知をしてもよい。
【００３９】
ステップ４０６では、ステップ４０４で認証可となった電子鍵４０以外の電子鍵４０によるＩＤ照合を禁止することより、外出したユーザが所持している電子鍵４０以外の電子鍵４０による解錠及び施錠の操作を禁止して処理をリターンする。ステップ４０６での処理により、外出したユーザが所持している電子鍵４０以外の鍵は、起動信号が到達する検知エリア内にあっても、主錠１４Ａ及び補助錠１４Ｂを解錠することができなくなる。その結果、検知エリア内に存在することでオン状態になっている電子鍵４０によって、主錠１４Ａ及び補助錠１４Ｂが解錠されることを防止できる。なお、ＩＤ認証及び解錠操作を許可する電子鍵４０と許可しない電子鍵４０の各々のＩＤ情報は、コントローラ１２の記憶装置に記憶され、コントローラ１２は、記憶装置に記憶されたＩＤ情報に基づいて、電子鍵４０によるＩＤ認証の可否を決定する。
【００４０】
以上説明したように、本実施の形態によれば、電気錠システムにおいて、第三者によって電気錠が解錠されるおそれを低減させることが可能となる。
【符号の説明】
【００４１】
１０   電気錠システム
１２   コントローラ
１４Ａ 主錠
１４Ｂ 補助錠
１６   アンテナ
２２Ａ 主デッドボルト
２２Ｂ 補助デッドボルト
２６Ａ，２６Ｂ       サムターン
３０   ドア
４０   電子鍵
４２Ａ，４２Ｂ       センサ
【図１】
0006356511.tif 000002
【図２】
0006356511.tif 000003
【図３】
0006356511.tif 000004
【図４】
0006356511.tif 000005